(57)【要約】【課題】正確な測色とカラー画像の撮影とを行い得るマルチスペクトル撮像装置を提供する。【解決手段】２次元状の画素配列の撮像素子４と、撮像素子４の前面に配設されＲＧＢフィルタと全色透過フィルタとを所定の順序で配列してなるカラーフィルタ３と、測色モードにおいて撮像素子４が単位時間毎に異なる波長の光を順に受光するように制御し、画像記録モードにおいて撮像素子４が全ての波長の光を同時に受光するように制御する光源制御回路５および光源１ａ〜１ｈと、測色モードにおいて全色透過フィルタに対応する画素から出力される信号に基づき測色値を算出する測色値演算回路７と、画像記録モードにおいてＲＧＢフィルタに対応する画素から出力される信号に基づき３原色の画像データを算出する画像演算回路８と、を備えたマルチスペクトル撮像装置。【選択図】図１
2007315808.tif 000002
【特許請求の範囲】
【請求項１】
２次元状に配列された複数の画素を有する撮像素子と、
上記撮像素子の前面に配設されていて、分光特性が異なる複数のフィルタと、全色を透過するフィルタと、を含み、該フィルタと上記画素とが一対一に対応するように、該フィルタを所定の順序で配列して構成されたカラーフィルタと、
第１のモードにおいて、上記撮像素子が単位時間毎に異なる波長の光を順に受光するように制御する入射光制御部と、
上記第１のモードにおいて、上記全色を透過するフィルタに対応する画素から単位時間毎に出力される信号に基づいて、測色値を算出する測色値演算部と、
を具備したことを特徴とするマルチスペクトル撮像装置。
【請求項２】
上記入射光制御部は、さらに、第２のモードにおいて、上記撮像素子が全ての波長の光を同時に受光するように制御するものであり、
上記第２のモードにおいて、上記分光特性が異なる複数のフィルタに対応する画素から出力される信号に基づいて、各分光特性に対応する複数原色の画像データを算出する画像演算部をさらに具備したことを特徴とする請求項１に記載のマルチスペクトル撮像装置。
【請求項３】
上記分光特性が異なる複数のフィルタは、３原色のフィルタであり、
上記画像演算部が算出する複数原色の画像データは、３原色の画像データであることを特徴とする請求項２に記載のマルチスペクトル撮像装置。
【請求項４】
上記入射光制御部は、上記第１のモードにおいて、上記撮像素子が単位時間毎に順に受光する光の波長を、測色の対象物に応じて変更するようにさらに制御するものであることを特徴とする請求項１に記載のマルチスペクトル撮像装置。
【発明の詳細な説明】
【技術分野】
【０００１】
本発明は、異なる波長の光を受光して測色を行うためのマルチスペクトル撮像装置に関する。
【背景技術】
【０００２】
近年、幾つかの分野においては、対象物の色をより正確に測定する必要が高まっている。例えば、義歯の製作、皮膚科における肌色診断、自動車の塗装色、建物の塗装色、食料品の分光特性、衣料品の染色などにおいて、色を正確に測定して、診断、検査、確認や判別に供することが求められている。
【０００３】
そこで、こうした目的に使用することができるように、異なる複数の波長の光を受光して測色を行い得るようにしたマルチスペクトル撮像装置が従来より提案されている。
【０００４】
このような従来のマルチスペクトル撮像装置としては、例えば図９に示すようなマルチスペクトルカメラが挙げられる。ここに、図９は、回転式のフィルタ板を備えた従来のマルチスペクトルカメラの構成を示す図である。このマルチスペクトルカメラは、対物レンズ８１と、複数のバンドパスフィルタ８３が円周方向に配列された円板状のフィルタ板８２と、結像レンズ８４と、モノクロの撮像素子８５と、を備えている。そして、このマルチスペクトルカメラは、対物レンズ８１から光を取り込み、この対物レンズ８１の焦点位置に配置するバンドパスフィルタ８３をフィルタ板８２を回転させることにより順次変更しながら、結像レンズ８４により該バンドパスフィルタ８３を通過した帯域の光像を撮像素子８５に結像させ、複数の波長の対象物の像を得るものとなっている。
【０００５】
ところで、こうしたマルチスペクトル撮像装置は、取り扱い時の作業性等を考慮すると、小型軽量であることや、さらには、手で把持して使用し得ることなどが望ましい。
【０００６】
しかし、図９に示したようなマルチスペクトルカメラは、回転式のフィルタ板８２を備えており、実用上はこのフィルタ板８２を回転するためのモータ等も必要になることから、小型化を図るのが困難である。
【０００７】
これに対して、より小型化を図り得るようにした技術が、例えば特開２００５−１４８０２０号公報に記載されている。該公報に記載のマルチスペクトル撮像装置は、例えば図１０〜図１２に示すように構成されている。ここに、図１０はマルチスペクトル撮像装置の構成を示す図、図１１はＬＥＤ基板の構成を示す図、図１２は原色ベイヤー配列のカラーフィルタの構成を示す図である。
【０００８】
すなわち、撮影装置９１は、図１０に示すように、対象物９６を照明するための光源となる発光ユニット９２ｂが複数実装されたＬＥＤ基板９２と、この発光ユニット９２ｂから発光された光を伝達しながら均一な照明光とするために拡散を行う光拡散素子９４とを、外光を遮断するためのフード９５内に配設している。
【０００９】
ここに、発光ユニット９２ｂは、図１１に示すように、複数の異なる波長の光を発光するＬＥＤ９３ａ〜９３ｈをまとめて格納するものである。また、ＬＥＤ基板９２は、ドーナツ状の基板として構成されていて、内部には対象物９６から反射されてくる光が通過するための円形孔９２ａが形成されている。この円形孔９２ａを介して入射される光は、撮像光学系９７により、ＣＣＤ９８上に結像されるようになっている。
【００１０】
このように、例えば８種類の波長の光を照射するＬＥＤを用いたマルチスペクトル照明装置を用いることにより、マルチスペクトル撮像装置の小型化を図りながら、８バンドの対象物のデータを得ることができるものとなっている。
【００１１】
このマルチスペクトル撮像装置は、スペクトル解析用のデータを取得するだけでなく、さらに通常のカラー静止画像を撮影することができるように、上述したＣＣＤ９８として、例えば図１２に示すようなベイヤー配列のＲＧＢカラーフィルタを備えた構成のものを用いている。この原色ベイヤー配列のカラーフィルタは、よく知られているように、２×２画素を基本単位として、対角方向の２画素に緑（Ｇ）フィルタが、他の対角方向の２画素に赤（Ｒ），青（Ｂ）フィルタが１画素ずつ、それぞれ配置されたものである。
【００１２】
ここで、本発明の実施形態に係る図３を参照して、ＲＧＢ各フィルタを介して光を受光する画素の分光感度特性と、各ＬＥＤ９３ａ〜９３ｈの発光スペクトルと、の関係を説明する。
【００１３】
ＬＥＤ９３ａが発光するスペクトルＳａの光により照明を行う場合には、Ｂフィルタに対応する画素から出力される画素データを用いて測色値演算を行うようになっている。
【００１４】
また、ＬＥＤ９３ｂが発光するスペクトルＳｂの光、ＬＥＤ９３ｃが発光するスペクトルＳｃの光、ＬＥＤ９３ｄが発光するスペクトルＳｄの光、およびＬＥＤ９３ｅが発光するスペクトルＳｅの光により照明を行う場合には、Ｇフィルタに対応する画素から出力される画素データを用いて測色値演算を行うようになっている。
【００１５】
さらに、ＬＥＤ９３ｆが発光するスペクトルＳｆの光、ＬＥＤ９３ｇが発光するスペクトルＳｇの光、およびＬＥＤ９３ｈが発光するスペクトルＳｈの光により照明を行う場合には、Ｒフィルタに対応する画素から出力される画素データを用いて測色値演算を行うようになっている。
【００１６】
こうして、上記公報に記載された技術では、時系列的に照明を行う光源の波長に応じて、Ｒ，Ｇ，Ｂの何れのフィルタに対応する画素データを使用するかを、変更するようになっている。
【特許文献１】特開２００５−１４８０２０号公報
【発明の開示】
【発明が解決しようとする課題】
【００１７】
上述したようなＲＧＢカラーフィルタを配設した撮像素子を用いて測色用のデータを取得する場合には、マルチスペクトル照明装置が照射する照射光の発光帯域が、それぞれ、Ｒフィルタ，Ｇフィルタ，Ｂフィルタの何れかを介して受光する画素の分光感度特性に収まっていることが必要である。しかし、使用する光源によっては、必ずしも、何れかの分光感度特性に収まるという保証はない。さらに、測色しようとする対象物によっては、何れの分光感度特性にも十分には収まらない帯域の照明光を用いることが必要になる場合もあり得る。そして、こうした場合には、スペクトル解析を十分に高い精度で行うことができない。
【００１８】
また、対象物や使用する光源によっては照明光の帯域が何れかのフィルタを介して受光する画素の分光感度特性に収まっていることがあるが、このときであっても、データを得ることができる画素の位置は照明光の波長に応じて異なるために、測色を行う際の演算が複雑になってしまう。
【００１９】
すなわち、ある着目画素位置の測色値を算出するためには、この着目画素位置とは異なる画素位置の画素データを用いて、該着目画素位置の画素データを補間する処理が必要になる。例えば、ＲラインのＧフィルタに対応する画素の位置（水平方向の画素位置をｉ、垂直方向画素位置をｊとする。）において測色値を算出する際には、上記公報に記載の技術では、該Ｇフィルタに対応する画素から直接得られる画素データは、スペクトルＳｂの光に係る画素データＳｂij、スペクトルＳｃの光に係る画素データＳｃij、スペクトルＳｄの光に係る画素データＳｄij、およびスペクトルＳｅの光に係る画素データＳｅijである。
【００２０】
従って、それ以外の、スペクトルＳａの光に係る画素データＳａij、スペクトルＳｆの光に係る画素データＳｆij、スペクトルＳｇの光に係る画素データＳｇij、およびスペクトルＳｈの光に係る画素データＳｈijに関しては、着目画素位置の近傍にある画素の画素データに基づいて、以下のように補間演算を行い算出することになる。  
Ｓａij’＝（Ｓａi(j-1)＋Ｓａi(j+1)）／２
Ｓｆij’＝（Ｓｆ(i-1)j＋Ｓｆ(i+1)j）／２
Ｓｇij’＝（Ｓｇ(i-1)j＋Ｓｇ(i+1)j）／２
Ｓｈij’＝（Ｓｈ(i-1)j＋Ｓｈ(i+1)j）／２
ここに、補間演算により得られる画素データについては、記号「’」を付している。
【００２１】
こうして補間演算により、着目画素位置の各スペクトルデータが得られたところで、測色値算出関数ｆを用いた次のような演算を行うことにより、着目画素位置の測色値ｘijを算出することができる。  
ｘij
＝ｆ（Ｓａij’，Ｓｂij，Ｓｃij，Ｓｄij，Ｓｅij，Ｓｆij’，Ｓｇij’，Ｓｈij’）
【００２２】
そして、どのスペクトルの光に対応する画素データを補間しなければならないかは、画素位置に応じて異なる（例えば、Ｂフィルタに対応する画素の位置においては、直接取得することができるのは画素データＳａijのみとなるために、残りの７つのスペクトルの画素データを補間して演算しなければならない。）ために、制御はさらに煩雑である。
【００２３】
そして、上述したような従来の技術には、こうした観点に対する記載がなかった。
【００２４】
本発明は上記事情に鑑みてなされたものであり、正確な測色を行い得るとともに、測色用以外の画像を撮影することも可能なマルチスペクトル撮像装置を提供することを目的としている。
【課題を解決するための手段】
【００２５】
上記の目的を達成するために、第１の発明によるマルチスペクトル撮像装置は、２次元状に配列された複数の画素を有する撮像素子と、上記撮像素子の前面に配設されていて分光特性が異なる複数のフィルタと全色を透過するフィルタとを含み該フィルタと上記画素とが一対一に対応するように該フィルタを所定の順序で配列して構成されたカラーフィルタと、第１のモードにおいて上記撮像素子が単位時間毎に異なる波長の光を順に受光するように制御する入射光制御部と、上記第１のモードにおいて上記全色を透過するフィルタに対応する画素から単位時間毎に出力される信号に基づいて測色値を算出する測色値演算部と、を具備したものである。
【００２６】
また、第２の発明によるマルチスペクトル撮像装置は、上記第１の発明によるマルチスペクトル撮像装置において、上記入射光制御部が、さらに、第２のモードにおいて上記撮像素子が全ての波長の光を同時に受光するように制御するものであり、上記第２のモードにおいて上記分光特性が異なる複数のフィルタに対応する画素から出力される信号に基づいて各分光特性に対応する複数原色の画像データを算出する画像演算部をさらに具備したものである。
【００２７】
さらに、第３の発明によるマルチスペクトル撮像装置は、上記第２の発明によるマルチスペクトル撮像装置において、上記分光特性が異なる複数のフィルタが３原色のフィルタであり、上記画像演算部が算出する複数原色の画像データは３原色の画像データである。
【００２８】
第４の発明によるマルチスペクトル撮像装置は、上記第１の発明によるマルチスペクトル撮像装置において、上記入射光制御部が、上記第１のモードにおいて、上記撮像素子が単位時間毎に順に受光する光の波長を、測色の対象物に応じて変更するようにさらに制御するものである。
【発明の効果】
【００２９】
本発明のマルチスペクトル撮像装置によれば、正確な測色を行い得るとともに、測色用以外の画像を撮影することも可能となる。
【発明を実施するための最良の形態】
【００３０】
以下、図面を参照して本発明の実施の形態を説明する。
【００３１】
［実施形態］
図１から図８は本発明の一実施形態を示したものであり、図１はマルチスペクトル撮像装置の構成を示すブロック図である。
【００３２】
このマルチスペクトル撮像装置は、図１に示すように、８つの光源１ａ〜１ｈと、撮像光学系２と、カラーフィルタ３と、撮像素子４と、光源制御回路５と、セレクタ６と、測色値演算回路７と、画像演算回路８と、画像符号化回路９と、記録回路１０と、モード制御回路１１と、を有して構成されている。
【００３３】
光源１ａ〜１ｈは、それぞれ異なる波長帯域の光を発光する入射光制御部であり、例えば各発光帯域のＬＥＤを含んで構成されている。これらの光源１ａ〜１ｈが発光する光のスペクトルは、例えば図３に示すようになっている。ここに図３は、各光源１ａ〜１ｈの発光スペクトルとＲＧＢ各フィルタを介して受光を行う画素の分光感度特性とを示す線図である。この図３において、光源１ａが発光する光のスペクトルはＳａ、光源１ｂが発光する光のスペクトルはＳｂ、光源１ｃが発光する光のスペクトルはＳｃ、光源１ｄが発光する光のスペクトルはＳｄ、光源１ｅが発光する光のスペクトルはＳｅ、光源１ｆが発光する光のスペクトルはＳｆ、光源１ｇが発光する光のスペクトルはＳｇ、光源１ｈが発光する光のスペクトルはＳｈ、としてそれぞれ示されている。
【００３４】
撮像光学系２は、測色モード（第１のモード）において、上述した光源１ａ〜１ｈにより発光された光により照明された被写体（対象物）、あるいは画像記録モード（第２のモード）において外光等により照明された被写体、の像を撮像素子４上に結像するためのものである。
【００３５】
カラーフィルタ３は、撮像素子４の撮像面上に配設されていて、図２に示すように構成されたものとなっている。ここに、図２はカラーフィルタ３の構成を示す図である。すなわち、このカラーフィルタ３は、上述で図１２を参照して説明したような原色ベイヤーカラーフィルタを基本として、この原色ベイヤーカラーフィルタの赤（Ｒ）フィルタが配列されたラインにおける緑（Ｇ）フィルタを、全色（全波長）を透過するフィルタ（図中では、ＲＧＢの何れの文字も入っていない部分）に変更したものとなっている。従って、このカラーフィルタ３は、２×２画素を基本単位として、一方の対角方向の２画素に全色を透過するフィルタと緑（Ｇ）フィルタとが、他方の対角方向の２画素に赤（Ｒ）フィルタと青（Ｂ）フィルタとが、それぞれ配置され、全色を透過するフィルタとＲフィルタとが同一ライン、ＧフィルタとＢフィルタとが同一ライン、となるように構成されたものである。なお、全色を透過するフィルタは、可視光域を含む広い帯域の光を波長帯域に依存することなく高い透過率で透過するフィルタを含むのみならず、いわゆる素通しである場合も含むものとする。また、ＲＧＢの各フィルタを介して受光する画素の分光感度特性は、図３に示したようになっている。すなわち、図３において、Ｒフィルタを介して受光する画素の分光感度特性を１点鎖線により、Ｇフィルタを介して受光する画素の分光感度特性を点線により、Ｂフィルタを介して受光する画素の分光感度特性を２点鎖線により、それぞれ示している。
【００３６】
撮像素子４は、複数の画素を２次元状に配列したものであり、これらの各画素は、上記カラーフィルタ３上に形成された４種類のフィルタの何れかに一対一に対応するように設けられたものとなっている。
【００３７】
光源制御回路５は、測色モード時に、上述した光源１ａ〜１ｈを制御して、単位時間毎に異なる波長の光を順に発光させるように制御する入射光制御部である。これにより、撮像素子４は、単位時間毎に異なる波長の光を順に受光することになる。また、光源制御回路５は、画像記録モード時に、必要に応じて、上述した光源１ａ〜１ｈの全部、あるいは一部を同時に発光させて、通常撮影における補助光源として用いるように制御することも可能となっている。
【００３８】
セレクタ６は、モード制御回路１１の制御に基づいて、撮像素子４から読み出されて出力される画素データを選択して出力するものである。すなわち、セレクタ６は、このマルチスペクトル撮像装置が測色モードに設定されているときには、撮像素子４から出力される画素データの内の、全色を透過するフィルタに係る画素データのみを、測色値演算回路７へ出力するようになっている。一方、セレクタ６は、このマルチスペクトル撮像装置が画像記録モードに設定されているときには、撮像素子４から出力される画素データの内の、ＲＧＢ各フィルタに係る画素データのみを、画像演算回路８へ出力するようになっている。
【００３９】
測色値演算回路７は、このマルチスペクトル撮像装置が測色モードに設定されているときに、セレクタ６から出力される全色を透過するフィルタに係る画素データに基づいて、測色値を演算する測色値演算部である。
【００４０】
画像演算回路８は、このマルチスペクトル撮像装置が画像記録モードに設定されているときに、セレクタ６から出力されるＲＧＢ各フィルタに係る画素データに基づいて、通常のカラー画像を算出する画像演算部である。
【００４１】
画像符号化回路９は、画像演算回路８により算出されたカラー画像を符号化して圧縮するものである。
【００４２】
記録回路１０は、測色値演算回路７から出力される測色値データや、画像符号化回路９から出力されるカラー画像データを、記録媒体に記録するための回路である。
【００４３】
モード制御回路１１は、上述したように、このマルチスペクトル撮像装置に設定されているモードに応じて、セレクタ６の動作を制御するためのものである。
【００４４】
次に、このようなマルチスペクトル撮像装置の測色モード時の動作について、図１を参照しながら図４に沿って説明する。図４は、マルチスペクトル撮像装置の測色モード時の動作を示すタイミングチャートである。
【００４５】
この測色モードは、被写体の色をなるべく正確に測定するモードであり、被写体の反射スペクトルの分布を近似的に（連続的な帯域の全ての波長のデータを取得することは不可能であるために、幾つかの波長のデータのみを離散的に取得することになり、近似的となる。）取得するモードである。
【００４６】
なお、この測色モードにおいては、例えば図１０に示したようなフード９５を用いる等により、光源１ａ〜１ｈからの光以外は被写体に照射されないようになっているものとする。
【００４７】
光源１ａ〜１ｈは、光源制御回路５の制御に基づいて、所定の単位時間毎に順次発光されるようになっている。ここに、所定の単位時間は、例えば、垂直同期信号によって規定されるフレーム周期である。
【００４８】
各波長の光により照明された被写体からの反射光は、撮像光学系２により、カラーフィルタ３を介して撮像素子４上に結像される。
【００４９】
撮像素子４は、被写体像が結像されたフレーム期間に露光を行う。
【００５０】
そして、露光が終了したところで、垂直同期信号に同期して画素データの読み出しが行われる。この画素データの読み出しは、４種類のフィルタに対応する全ての画素について行われる。
【００５１】
撮像素子４から出力された画素データは、セレクタ６により選別され、全色を透過するフィルタに対応する画素データのみが測色値演算回路７へ出力される。従って、例えば撮像素子４が１２００万画素の撮像素子である場合には、測色に用いられる画素数は３００万となる。
【００５２】
測色値演算回路７は、全ての光源１ａ〜１ｈが順に発光されて各波長の画素データが取得されたところで、これらの画素データに基づいて、全色を透過するフィルタに対応する画素配列における画素位置（ｉ，ｊ）の測色値ｘijを、以下のような演算を行うことにより算出する。  
ｘij＝ｆ（Ｓａij，Ｓｂij，Ｓｃij，Ｓｄij，Ｓｅij，Ｓｆij，Ｓｇij，Ｓｈij）
ここに、Ｓａijは光源１ａの発光により取得された画素位置（ｉ，ｊ）の画素データ、Ｓｂijは光源１ｂの発光により取得された画素位置（ｉ，ｊ）の画素データ、Ｓｃijは光源１ｃの発光により取得された画素位置（ｉ，ｊ）の画素データ、Ｓｄijは光源１ｄの発光により取得された画素位置（ｉ，ｊ）の画素データ、Ｓｅijは光源１ｅの発光により取得された画素位置（ｉ，ｊ）の画素データ、Ｓｆijは光源１ｆの発光により取得された画素位置（ｉ，ｊ）の画素データ、Ｓｇijは光源１ｇの発光により取得された画素位置（ｉ，ｊ）の画素データ、Ｓｈijは光源１ｈの発光により取得された画素位置（ｉ，ｊ）の画素データである。また、ｆは測色値算出関数である。
【００５３】
このように本実施形態のマルチスペクトル撮像装置によれば、上述した従来技術では必要となっていた補完処理を行うことなく、測色値を算出することが可能となっている。
【００５４】
こうして測色値演算回路７により算出された測色値データは、記録回路１０により記録媒体に記録される。
【００５５】
次に、マルチスペクトル撮像装置の画像記録モード時の動作について、図１を参照しながら説明する。
【００５６】
この画像記録モードは、本実施形態においては、ＲＧＢ３原色の画像データを算出するモードとなっている。
【００５７】
画像記録モードにおいては、被写体は例えば外光により照明される（あるいは、光源制御回路５の制御に基づいて、光源１ａ〜１ｈの全部、あるいは一部が、必要に応じて補助光源として同時に発光される。）。
【００５８】
こうして照明された被写体からの反射光は、撮像光学系２により、カラーフィルタ３を介して撮像素子４上に結像される。
【００５９】
撮像素子４は、被写体像の露光を行って、露光後に、垂直同期信号に同期して画素データを出力する。この画素データの出力も、４種類のフィルタに対応する全ての画素について行われる。
【００６０】
撮像素子４から出力された画素データは、セレクタ６により選別され、ＲＧＢ各フィルタに対応する画素データのみが画像演算回路８へ出力される。従って、例えば撮像素子４が１２００万画素の撮像素子である場合には、カラー画像の生成に用いられる画素数は９００万となる。
【００６１】
図５は、撮像素子４の４×４画素領域の内の、カラー画像の生成に用いられる画素データの様子を示す図である。
【００６２】
図示のように、取得されるＲＧＢ各色の画素データは、画素位置がそれぞれ異なるデータである。従って、次に示すような補間演算を行うことにより、図５中において「×」により示す着目位置の３原色分の画素データを取得するようになっている。  
Ｒ＝αＲ21＋β（Ｒ01＋Ｒ23）＋γＲ03
Ｇ＝αＧ11＋β（Ｇ13＋Ｇ31）＋γＧ33
Ｂ＝αＢ12＋β（Ｂ10＋Ｂ32）＋γＢ30
ここに、α，β，γは、所定の係数である。
【００６３】
こうして、着目位置を同一ライン上で１画素ピッチ分だけずらしながら演算を行い、１ライン分が終了したところで、次のラインについて同様に演算を行うことにより、上述した１２００万画素の撮像素子の例では、約９００万（辺縁部分の画素数が少し減少するために、「約」と記載している。）のカラー画像が取得される。
【００６４】
こうして、算出されたＲＧＢカラー画像は、さらに例えば輝度色差信号ＹＵＶ等に変換された後に、画像符号化回路９へ出力される。
【００６５】
画像符号化回路９は、所定の符号化、例えば、カラー画像がカラー静止画像である場合にはＪＰＥＧ圧縮、また、カラー画像がカラー動画像である場合にはＭＰＥＧ圧縮などを行う。
【００６６】
こうして符号化されたカラー画像は、記録回路１０により、記録媒体に記録される。
【００６７】
なお、上述では、８種類の波長帯域の光源を用いているが、もちろんこれに限るものではない。
【００６８】
また、上述では、全ての波長を透過する画素をＲフィルタのライン上に配置しているが、これに限らず、図６に示すように、Ｂフィルタのライン上に配置するようにしても構わない。ここに、図６は、カラーフィルタ３の他の構成例を示す図である。
【００６９】
さらに、上述では、原色ベイヤー配列のカラーフィルタに基づいて図２や図６に示したようなカラーフィルタを構成したが、これに限らず、色差線順次のカラーフィルタに基づいて、図７に示すようなカラーフィルタを構成し用いるようにしても構わない。ここに、図７は、カラーフィルタ３のさらに他の構成例を示す図である。そして、この図７において、Ｙｅ，Ｍｇ，Ｃｙの何れの文字も入っていない部分が、全色（全波長）を透過するフィルタの部分である。
【００７０】
加えて、上述では、小型化を図るためにＬＥＤ等を使用したマルチスペクトル照明装置を用いる例について説明したが、上述したようなカラーフィルタ３を配設した撮像素子４を用いるマルチスペクトル撮像装置としては、これに限るものではない。
【００７１】
例えば、図１に示した光源１ａ〜１ｈに代えて、図８に示すように、透過波長帯域の異なる複数のバンドパスフィルタ２１ａ〜２１ｈを円周方向に配列した円板状のフィルタ板２１を配設し、通常の環境光下で複数の波長の光に基づく画素データを取得して測色値を算出するようなタイプのマルチスペクトル撮像装置においても、上述したようなカラーフィルタを配設した撮像素子を同様に適用することができる。ここに、図８はマルチスペクトル撮像装置の他の構成例を示すブロック図である。
【００７２】
また、測色しようとする被写体には、色の傾向がある場合がある。例えば、車の塗装色には、赤色であるか青色であるか等の傾向があり得る。そこで、このような色の傾向がある被写体を精密に測色しようとする場合には、色の傾向に応じて、図１に示すような光源１ａ〜１ｈ、あるいは図８に示すようなバンドパスフィルタ２１ａ〜２１ｈの分光特性を変更するようにすると良い。
【００７３】
具体的には、特定の波長領域について細かくスペクトル測定を行うことができるような光源のセット、あるいはフィルタのセットを予め用意しておき、被写体の色の傾向に応じて、光源のセットあるいはフィルタのセットを変更するようにすれば良い。
【００７４】
これにより、少ない光源数（フィルタ数）であっても、正確な色の弁別を行うことが可能となる利点がある。
【００７５】
このような実施形態によれば、撮像素子の前面に配置するカラーフィルタ中に、ＲＧＢ等の色フィルタ以外の全色を透過するフィルタを設けたために、色フィルタによって遮断される特定の波長の光の強度についても測定することが可能となる。従って、対象物に応じた最適な波長の光を用いて測色を行うことも可能となる。そして、第１のモードと第２のモードとで動作を行うことにより、１つの撮像素子を用いるだけで、測色と画像記録とに対応することが可能となる。
【００７６】
また、着目画素位置の画素データを、全ての発光スペクトルに対して取得することができるために、測色値を演算する際に他の画素位置から補間を行う必要がなく、演算処理を高速化し、処理回路の規模を縮小することが可能となる。
【００７７】
さらに、上述した従来技術では、光源の波長がＲＧＢ各フィルタの何れかを介して受光する画素の分光感度特性に収まらない場合には、正確に測色値を算出することは不可能である。これに対して、本実施形態によれば、全色を透過するフィルタに対応する画素データを用いて測色値の算出を行っているために、撮像素子の画素により光電変換可能な波長の光源であればどのような光源を用いたとしても、測色値の算出を行うことが可能となる利点がある。
【００７８】
こうして、本実施形態のマルチスペクトル撮像装置によれば、光源の波長帯域に依存することなく正確な測色を行うことが可能であるとともに、測色用以外の画像、例えばカラー画像を撮影することも可能となる。
【００７９】
なお、本発明は上述した実施形態に限定されるものではなく、発明の主旨を逸脱しない範囲内において種々の変形や応用が可能であることは勿論である。
【産業上の利用可能性】
【００８０】
本発明は、異なる波長の光を受光して測色を行うためのマルチスペクトル撮像装置に好適に利用することができる。
【図面の簡単な説明】
【００８１】
【図１】本発明の一実施形態におけるマルチスペクトル撮像装置の構成を示すブロック図。
【図２】上記実施形態におけるカラーフィルタの構成を示す図。
【図３】上記実施形態において、各光源の発光スペクトルとＲＧＢ各フィルタを介して受光を行う画素の分光感度特性とを示す線図。
【図４】上記実施形態におけるマルチスペクトル撮像装置の測色モード時の動作を示すタイミングチャート。
【図５】上記実施形態において、撮像素子の４×４画素領域の内の、カラー画像の生成に用いられる画素データの様子を示す図。
【図６】上記実施形態におけるカラーフィルタの他の構成例を示す図。
【図７】上記実施形態におけるカラーフィルタのさらに他の構成例を示す図。
【図８】上記実施形態におけるマルチスペクトル撮像装置の他の構成例を示すブロック図。
【図９】回転式のフィルタ板を備えた従来のマルチスペクトルカメラの構成を示す図。
【図１０】従来のマルチスペクトル撮像装置の構成を示す図。
【図１１】図１０に示した従来のマルチスペクトル撮像装置におけるＬＥＤ基板の構成を示す図。
【図１２】図１０に示した従来のマルチスペクトル撮像装置における原色ベイヤー配列のカラーフィルタの構成を示す図。
【符号の説明】
【００８２】
１ａ〜１ｈ…光源（入射光制御部）
２…撮像光学系
３…カラーフィルタ
４…撮像素子
５…光源制御回路（入射光制御部）
６…セレクタ
７…測色値演算回路（測色値演算部）
８…画像演算回路（画像演算部）
９…画像符号化回路
１０…記録回路
１１…モード制御回路
２１…フィルタ板
２１ａ〜２１ｈ…バンドパスフィルタ
【図１】
2007315808.tif 000003
【図２】
2007315808.tif 000004
【図３】
2007315808.tif 000005
【図４】
2007315808.tif 000006
【図５】
2007315808.tif 000007
【図６】
2007315808.tif 000008
【図７】
2007315808.tif 000009
【図８】
2007315808.tif 000010
【図９】
2007315808.tif 000011
【図１０】
2007315808.tif 000012
【図１１】
2007315808.tif 000013
【図１２】
2007315808.tif 000014